(57)【要約】      （修正有）【課題】便蓋カバーを装着した便座の開閉に便座が干渉することなく使用ができ、多用な便器の便蓋に適用可能な汎用性の高いものであって、着脱が容易なうえ、さらに、洗濯性に優れた便蓋カバーを提供する。【解決手段】便蓋２の先端部に引っ掛けるための硬質プラスチック樹脂板８を便蓋カバーの裏面先端６ｂに突設し、便蓋２との当接面に繰返し剥離可能な粘着シート材１０を配した基板シート９の一端を便蓋カバーの裏面後端に係止し、硬質プラスチック樹脂板８と粘着シート材１０とで脱着自在に便蓋表面に固定しうることを特徴とした。【選択図】図２
0003201666.tif 000002
【実用新案登録請求の範囲】
【請求項１】
便蓋の表面に載置するための便蓋カバーであって、
便蓋の先端部に引っ掛けるための硬質プラスチック樹脂いたを便蓋カバーの裏面先端に突設し、
便蓋との当接面となる便蓋カバー裏面の後端部に、繰り返し剥離可能な粘着シート材を縫着して、
硬質プラスチック樹脂板と粘着シートとで脱着自在に便蓋表面に固定しうることを特徴とした便蓋カバー。
【請求項２】
便蓋カバーの裏面後端部に配した粘着シート材は、そのシート後端側の中央部が大きく刳られており、そのシート後端側左右端部とシート先端側の一部が便蓋カバーに縫着されていること、を特徴とする請求項１に記載の便蓋カバー。
【請求項３】
便蓋の表面に載置するための便蓋カバーであって、
便蓋の先端部に引っ掛けるための硬質プラスチック樹脂板を便蓋カバーの裏面先端に突設し、
繰返し剥離可能な粘着シート材を裏面側に配した基板シートの一端を便蓋カバーの裏面後端に係止し、
硬質プラスチック樹脂板と粘着シートで脱着自在に便蓋表面に固定しうることを特徴とした便蓋カバー。
【請求項４】
便蓋カバーは平面状の織布からなり、平面状の織布の先端には便蓋裏面側へ折れ曲がる折曲部を有し、この折曲部の裏面から硬質プラスチック樹脂板が突設されていることを特徴とする請求項１から請求項３のいずれか1項に記載の便蓋カバー。
【請求項５】
硬質プラスチック樹脂係止板は、弾性を有する硬質プラスチック樹脂板からなることを特徴とする請求項１から請求項４のいずれか1項に記載の便蓋カバー。
【請求項６】
基板シートがプラスチック樹脂もしくはフェルトからなる板材であることを特徴とする、請求項１から請求項５のいずれか１項に記載の便蓋カバー。
【請求項７】
粘着シート材はアクリル系ポリマーからなる粘着材を用いることを特徴とする、請求項１から請求項６のいずれか１項に記載の便蓋カバー。
【請求項８】
便蓋カバーは織布の上表面をカットパイルに形成し、かつ、織布の周辺をヘム布にくるんだ縁取りを設けていることを特徴とする請求項１から請求項７のいずれか１項に記載の便蓋カバー。
【請求項９】
便蓋カバーは織布の裏面を滑り止め部に形成していることを特徴とする請求項１から請求項８のいずれか１項に記載の便蓋カバー。
【請求項１０】
織布の一部に弾性糸を用いることで便蓋カバーを伸縮性としたことを特徴とする請求項１から請求項９のいずれか１項に記載の便蓋カバー。
【考案の詳細な説明】
【技術分野】
【０００１】
この考案は、洋式便器の便蓋の外表面に装着して使用する便蓋カバーに関する。とりわけ、便蓋を閉じたときに便蓋によって便座が覆い隠されるような形状の便蓋に装着するのに好適な便蓋カバーに関する。
【背景技術】
【０００２】
一般的な洋式便器では、床面に設置された陶器製の便器の上部に、使用者が着座できる便座が開閉自在に係止され、さらにその上に便座を覆うことのできる便蓋が開閉自在に設けられている。この便蓋は、従来は内部に水の張られた便器と便座を上方から隠し、さらに、埃や汚れが便器に付着するのを防ぐという役割を果たしていたものの、側面からみたときには、便座の上に載せ置かれるような形で取り付けられていたものであった。しかし、こうしたデザインは実用本意に機能的な側面が優先された形状であるため、便器、便座、便蓋が段々に重なる様が美観的にはすっきりしておらず、必ずしも体裁の良いものではなかった。
【０００３】
ところが、近年は洋式便器の外観にも工夫がなされ、便蓋も、便器や便座と一体となった統一的なデザインや高級感が志向された結果、全体としての美観にも配慮した種々の工夫がなされるようになりつつある。たとえば、便蓋が降ろされている状態（閉止状態）のときに、便座が便蓋の内部に隠れるようなデザインとなるように、便座よりもひと回り大きな外径の便蓋には、少し高さのある側壁を設け、その側壁の内側に便蓋が入り込むような形の洋式便器が提供されている。
【０００４】
すなわち、最近の便蓋では、便座よりもやや大きい外径の天板と高さのある側壁が備わっているので、便蓋が閉じられた状態では、便蓋の側壁が便座の周囲を包むようにして覆うものとなっており、便座の側部は完全に覆い隠されている。このために、上方からは内側の便座が視認できず、便座と便蓋が一体的な便器のデザインとなっている。これは特に温水便座の場合の保温性などからも要請されている事項である。
【０００５】
また、便器の後部に設けられている貯水タンクなどの仕組みや便器の水洗技術の改良によって、便器や貯水タンクのコンパクト化が進んでいるために、便座のサイズにもスペース的に工夫の余地が生じてきており、デザイン性や機能性が追求しやすくなってきている。たとえば、タンクなどの省スペース化により、同じ室内サイズであっても、床配置を工夫してスペースを有効活用できるようになったことから、たとえば着座のしやすさへの配慮を優先して便座の大型化を進めることができるようになりつつある。そこで、こうした要望に応えるように便座や便器の形状にもバリエーションも増えつつある。そこで、便蓋もそれらのサイズに適応させることとなるので、便蓋には様々なサイズや形状の種類が登場してきており、以前のような、２、３のタイプのいずれかで共用できるといった状況ではなくなりつつある。
【０００６】
さて、一般家庭用の洋式便器の便座や便蓋には、従前からトイレ室内の装飾や、質感や暖かさを提供する目的から、布製のカバーが取り付けられている。そして、便座カバーは、プラスチック製や陶器製の便座上に座ったときの、冷たい感触やペタっとした感触を避けることができる。また、便蓋カバーでは、機能的に便蓋への汚れ付着を防止して清潔感を保持すること、および質感や装飾性を高めてトイレの室内空間をグレードアップさせることなどが目的とされている。さらに、便座、便蓋およびトイレットロールホルダーの布製品のカバーと、さらに洋式便器の手前に配置するマットなどとを一体的に組みあわせて使用することで、統一感をもたせた室内空間を形成しうる場合もある。
【０００７】
そして、デザインを重視した洋式便器においては、便座カバーや便蓋カバーにも、同様にデザイン的な美観や布地の触感を志向する向きは高いであろうところ、その前段階として、そもそも便座や便蓋とフィットする形状のカバーであることが要請されている。しかし、先述のとおり、様々なサイズや形状のバリエーションが登場しているなかで、なるべく多くの便蓋に違和感なくフィットできることが求められており、カバーの材料選択にとどまらず、取り付け、取外しの容易性といった使い勝手の向上につながる係止手段の工夫なども広く要請されている。
【０００８】
そこで、従来の便蓋カバーにおける取り付け係止手段としては、便蓋の周囲が半楕円状に湾曲した形状であることから、その湾曲下形状にフィットさせるため、半長半長円部分のカバーには、周縁に弾性ゴムの入ったギャザーのある布を被せて半長円の便蓋の湾曲部を裏面まで全体に包むようにして覆い、端部を面ファスナー等で固定するものがある（例えば、特許文献１参照。）。
こうした従来の便蓋カバーでは、便蓋の表面だけでなく、便蓋の裏面側に、ギャザーや、例えば図５に示すように弾性ゴムの入った折り返し部分のヘム布にくるんだ縁取り７ｂとなった便蓋カバー６の織布７が大きく被さって便蓋２の先端で折り返して、便蓋２に側壁を有さないものでは、大きく便蓋２の裏側に入り込み便蓋２の背面を大きく覆うこととなる。そのため、便蓋２を閉止状態とするために倒して閉じたときに、便蓋２が便座の上に載せ置かれるタイプである従来型の便器での適用が想定されていたものであった。
【０００９】
すると、こうした便蓋カバー６を前述の近時の洋式便座が便蓋２が側壁２ｂを有してその側壁２ｂの内側に入り込むタイプの便蓋に装着するとき、便蓋２が十分に閉まりきらず、やや浮き上がったようになり不格好となる。さらにこうした状態で便蓋カバー６を無理矢理に装着してしまうと、便蓋２の開閉が十分でなく、また便蓋２が使用時に自立できにくく、かつ、便蓋２を倒した時に十分に閉まりきらない、といったことから、温水式便器に近時備えつけられている種々のセンサーが適切に稼働しなかったりして、待機状態を判断する節電スイッチや、脱臭機能の制御スイッチが正常に動作しないといった不具合が生じるといった不都合があった。
【００１０】
そこで、便蓋カバーを装着した便蓋が閉止した状態でも、便蓋の内側に便座を収納する邪魔をしないように、湾曲状の側壁を有する便蓋の、この湾曲状の側壁内面に沿うようにして便蓋カバーの布地をくるっと反転させて湾曲状の側壁巻き込むようにすることで、便座と便蓋の間の隙間を確保するものとした便蓋カバーが開発されている（例えば、特許文献２参照）。
これは、便蓋の側面内周の湾曲に沿わせるべく、便蓋カバーの布地の内部には、湾曲部端すなわち前縁部に厚みの薄い細長い曲状の棒からなる弾性プラスチック部材が便蓋の周縁よりもやや大きな曲率半径の湾曲状態で縫着されており、この曲状の棒を便蓋の湾曲部端で折り返すと、布地の内部に縫着された湾曲した棒状の弾性プラスチックがくるりと反転して反り返ることで、便蓋の側壁内面にぴったりと嵌まり込むようになり、便蓋の湾曲部（前縁部）の内面に固定されることとなる。したがって、便蓋と便座との収納に干渉することなく便蓋カバーの装着が可能となっている。さらに便蓋カバー側に配設されている伸縮フックで側壁側の後縁部と固定できるようになっている。
【００１１】
もっとも、曲率半径のやや大きな曲状の棒のプラスチックが反転して反り返るようにして、便蓋の湾曲部（前縁部）の裏側に布地を巻き込んで嵌まり込むものであるから、プラスチックの弾性によるバネが効いて便蓋の前縁の湾曲部をクリップするように、棒状のプラスチックの曲率半径は予め定めておき、かつ、便蓋の湾曲部にみあった形状の便蓋カバーの布地を予め裁断しておく必要がある。また、湾曲部の曲率が同じであっても、便蓋周囲の湾曲部の側壁の高さが違えば、便蓋カバーを反り返して反転により便蓋周囲の湾曲部の側壁を巻き込む際に、十分なフィットが得られず、外れ易くなることもあった。してみると、この方法で固定できるのは、便蓋周囲の湾曲形状の曲率や天板の大きさ、側壁の高さが所定のサイズと合致するものに限られることとなる。いわば専用品的なものとなり、その予定された範囲では高い装着性を発揮するも、必ずしも汎用性は決して高いものとは言い難かった。
【００１２】
ところが、先述のとおり、便座や便蓋は、便器のメーカー毎に、またメーカーが同じでも、便器の機種ごとに、全幅、全長といったサイズが異なってきており、また便座の湾曲形状にも違いがあることから、便蓋だけでも極めて種々のバリエーションが生じている状況にある。このような状況の下で、便座や便蓋とフィットする便蓋カバーを提供しようとすれば、たしかに、各メーカーの機種タイプごとの便蓋に合う形状の便座カバーをタイプ別に用意することが端的な方法ではある。もっとも、市販の一社の便器を例にとれば、その便器の形状に応じて、その一社の専用の便蓋カバーはＡ〜Ｈまで７タイプにも分類されて提供されている。このように、すべての便蓋に応じて便蓋カバーを専用品として提供することは、提供する側にも提供される側にも負担がかかる。つまり、現実的には選択できる商品が限られてしまい、商品選択の幅が狭められてしまっている。そこで、サイズや形状といったタイプの違う便蓋が種々にあることからすると、これらの各種便器にフィットさせる汎用性のより高い便蓋カバーを志向する工夫が求められている。
【００１３】
以上のように、通常の便蓋カバーでは周辺が嵩張ってしまい、温水便座等を内部に収納する便蓋が締まり切らないこととなるので、きちんと閉まる要請が高い。そこで、出願人は、特許文献３に記載の洋式便器用の便蓋カバーを提案している。この便蓋カバーは、図７に従来例として示すように、先細の先端に屈曲部を設け、その屈曲部に備えた弾性の硬質プラスチック樹脂板からなる硬質係止板を用いて便蓋に引っかけ、便蓋後端側をゴム紐１９ｂと鉤１９ａで引っかけて便蓋上に取り付けるものである。
【００１４】
たしかに、この便蓋カバーを用いると、側壁のある便蓋が浮きあがらずにきちんと蓋を閉めることができ、便蓋の大きさに多少の違いがあっても、便座を外部から隠す側壁を有する便蓋に幅広く適用できる。もっとも、便蓋カバーは、温水便座のような便蓋が便座を覆うタイプの機種に最適化されたところもあったので、通常の従来型の便蓋とも共用しやすいものが望まれていた。また便蓋カバーは、繰り返し洗濯されることが衛生上予定されているものであるところ、ゴム紐と鉤といった手段も用いていることから、洗濯機にそのまま投入すると、鉤がこすれてひっかかったりするので、洗濯時にネットに入れるなどの配慮が必要となっていた。また、片手などで、より簡単に扱えるほうが取付・交換の作業性がよいことから、サイズ等への適用幅が大きく汎用性が高いものが望まれている。
【先行技術文献】
【特許文献】
【００１５】
【特許文献１】実開平５−２９４９６号公報
【特許文献２】特開２００７−２６８１７８号公報（図２、図３）
【特許文献３】実用新案登録第３０３２８１７号公報
【考案の概要】
【考案が解決しようとする課題】
【００１６】
上述のとおり、従来型の洋式便器では、便蓋が便座の上に載置されたタイプでは、便座が便蓋の下に露出していた。しかし、近時の洋式便器では、便蓋を閉じた状態では、便座が便蓋の側壁内に収納されるように、便蓋と便座の取付け部であるヒンジの部分以外の便蓋の周辺に、便蓋から直角方向に側壁を設けて、便蓋を閉じたときに便座が隠れる形状とした洋式便器が増えつつある。
そこで、これらの洋式便器の便蓋に便蓋カバーを装着した時、便蓋カバーの周辺部である便蓋カバーの取付け部が便蓋の裏側の周辺部に収納されていても、便座と干渉して当接することなく便蓋を閉じた状態にすることができる構造の便蓋カバーであることが必要とされている。なぜなら、便蓋カバーが便座と干渉して当接すると、便蓋を適切に倒しても閉じることができず、もしくは便蓋を開けたときにきちんと自立できない、といった不都合を生ずることとなる。
【００１７】
このように、物理的に適切な状態で便蓋が開閉動作をしない上に、洋式便器と便蓋の優れた一体的なデザイン感が損なわれることとなると、上述した最近の洋式便器に適合した便蓋カバーが得られなくなる。
また、適切に便蓋が開閉動作をしないこととなれば、最近の洋式便器に各種のセンサーが内蔵されているが、これらのセンサーが便蓋の適切な開閉動作状態を判別できないこととなるから、便器の各種機能、たとえば節電機能や、脱臭機能や、弁座や洗浄水のヒーター機能が正常に動作しない事態も生じる。
【００１８】
そして、便蓋には、センサーやリモートスイッチで自動的に開閉動作をする機能が付与されているものがあるが、これらの駆動モータに対して過度に負荷をかけないために、便蓋に用いる便蓋カバーに設けた便蓋への固定具や材質に重量的な制限があり、駆動モータへの負荷を抑えるためにより簡易な構造でありながら、適切に固定できる器具を有する構造からなる便蓋カバーが望まれている。
【００１９】
さらに、洋式便器の便蓋を含めたデザインのバリエーションが増えており、種々の曲率の湾曲形状やサイズの異なる便蓋、側壁の高さの異なる便蓋が登場している。この様な理由で、いろんな機種に装着できる適用範囲の広い汎用性の高い便蓋カバーが求められている。とりわけ、通常の便座と温水便座の双方の便器に汎用的に用いることができる便蓋カバーが望まれている。
【００２０】
そして、こうした便蓋カバーは、時折り便蓋から取り外して洗濯機などで洗濯して清潔に保つのが一般的であることから、洗浄に適した素材や構造であることの上に、繰り返しの装着と着脱の取り回しが容易であることが求められている。たとえば、便蓋カバーの固定に複数の弾性ゴム紐とスナップ留めを用いるものがある。
しかし、便蓋と便座のヒンジ付近の隙間にゴム紐を通すようにしてくぐらせたり、ゴム紐を伸ばしてテンションをかけながらスナップ留めしたりすることは作業性が悪く扱いづらいところがある。便蓋カバーがゴム紐などに引っ張られて正しい位置からずれてしまったり、均等にテンションがかからず、一部の布地がツレ上がって歪んでしまったりするなど、適切な状態で便蓋カバーを装着することが必ずしも容易とはいえず、装着、着脱に時間を要して不便をかけるものとなている。
【００２１】
さらに、便蓋カバーは、洗濯時に痛みにくい傷つきにくい構造であることが望ましいところ、従来のゴム紐とフックやスナップは、洗濯槽にひっかかったり擦れたりするなど、必ずしも望ましい構造とはいえなかった。そこで、洗濯性に優れた便蓋カバーが望まれている。
【００２２】
そこで、この考案が解決しようとする課題は、便蓋カバーを装着した便座の開閉に便座が干渉することなく使用することができ、多用な便器の便蓋に適用可能な汎用性の高い便座カバーであって、便座カバーの着脱が片手でもできる容易な構造であるうえに、さらに、洗濯性に優れた繰り返しの使用に適した便蓋カバーを提供するである。
【課題を解決するための手段】
【００２３】
上記の課題を解決するための本考案の手段は、請求項１の考案では、便蓋の表面に載置するための便蓋カバーであって、便蓋の先端部に引っ掛けるための硬質プラスチック樹脂いたを便蓋カバーの裏面先端に突設し、便蓋との当接面となる便蓋カバー裏面の後端部に、繰り返し剥離可能な粘着シート材を縫着して、硬質プラスチック樹脂板と粘着シートとで脱着自在に便蓋表面に固定しうることを特徴とした便蓋カバーである。
【００２４】
請求項２の考案では、便蓋カバーの裏面後端部に配した粘着シート材は、そのシート後端側の中央部が大きく刳られており、シート後端側左右端部とシート先端側の一部が便蓋カバーに縫着されていること、を特徴とする請求項１に記載の便蓋カバーである。
【００２５】
粘着シート材は横長の長方形で、シート後端側の中央部を丸首のシャツのようにくって中央を大きく刳る（くる）ことで、シート後端の中央がきり欠いたようになっている。粘着シート材は、シート材先端側とシート材後端側左右端部の数カ所で便蓋カバーの裏面後端部に縫着されている。たとえば、先端側は両端と中央、後端側は左右端の５カ所を縫着するなどする。離間させるほうが縫着による弛みが生じにくい。
【００２６】
請求項３の考案では、便蓋の表面に載置するための便蓋カバーであって、便蓋の先端部に引っ掛けるための硬質プラスチック樹脂板を便蓋カバーの裏面先端に突設し、繰返し剥離可能な粘着シート材を裏面側に配した基板シートの一端を便蓋カバーの裏面後端に係止し、硬質プラスチック樹脂板と粘着シートで脱着自在に便蓋表面に固定しうることを特徴とした便蓋カバーである。
【００２７】
請求項４の考案では、便蓋カバーは平面状の織布からなり、平面状の織布の先端には便蓋裏面側へ折れ曲がる折曲部を有し、この折曲部の裏面から硬質プラスチック樹脂板が突設されていることを特徴とする請求項１から請求項３のいずれか1項に記載の便蓋カバーである。
【００２８】
請求項５の考案では、硬質プラスチック樹脂係止板は、弾性を有する硬質プラスチック樹脂板からなることを特徴とする請求項１から請求項４のいずれか1項に記載の便蓋カバーである。
【００２９】
請求項６の考案では、基板シートがプラスチック樹脂もしくはフェルトからなる板材であることを特徴とする、請求項１から請求項５のいずれか１項に記載の便蓋カバーである。
【００３０】
請求項７の考案では、粘着シート材はアクリル系ポリマーからなる粘着材を用いることを特徴とする、請求項１から請求項６のいずれか１項に記載の便蓋カバーである。
【００３１】
請求項８の考案では、便蓋カバーは織布の上表面をカットパイルに形成し、かつ、織布の周辺をヘム布にくるんだ縁取りを設けていることを特徴とする請求項１から請求項７のいずれか１項に記載の便蓋カバーである。
【００３２】
請求項９の考案では、便蓋カバーは織布の裏面を滑り止め部に形成していることを特徴とする請求項１から請求項８のいずれか１項に記載の便蓋カバーである。
【００３３】
請求項１０の考案では、織布の一部に弾性糸を用いることで便蓋カバーを伸縮性としたことを特徴とする請求項１から請求項９のいずれか１項に記載の便蓋カバーである。
【考案の効果】
【００３４】
本考案によると、非常に取り付けが容易な便蓋カバーを提供することができる。まず、便蓋カバーの裏面先端から突き出るようにして設けられた硬質プラスチック樹脂板を便座の湾曲した先端の裏面側に引っ掛けて、便蓋カバーの下部を引っ張りながら、裏面後端側に設けられた基板シート上に設けられた粘着シート材を便蓋の表面に貼付することで、便蓋の表面に便蓋カバーをきれいに覆うように設置することが簡単にできる。また、先端をひっかけて後端側を粘着シート材で固定するだけなので、片手でも簡単に取り付けができ、洗濯等のために交換ができることに加えて、便蓋の大きさや形状毎に多数のタイプを用意せずとも、汎用性高く便蓋に取り付けることができる。
【００３５】
そして、便蓋カバーが便蓋の側壁裏面側に巻き込む必要がないので、便蓋の外周に高さのある側壁が配されてその内部に便座が収まるタイプの便蓋であっても、カバーによって便蓋の開閉が阻害されることもないので、美観に優れる。
【００３６】
便蓋カバーの後端裏面の粘着シート材は、請求項２の場合は、粘着シート材のシート後端側の中央が大きく刳られているので、粘着シートを縫着する際に便蓋カバーの後端付近が便蓋に装着した時に弛むことがない。粘着シート材を切欠かずにシート後端に左端から右端まで長手方向に縫着してしまうと、便蓋カバーの後端の一部が途中で浮き上がってツレたようになって便蓋に密着しない状態となり、美観上も好ましくないものとなる。粘着シート後端の中央を便蓋カバーの後端と縫着せず、粘着シート材を設けない空隙の切欠きとすることで、粘着シート材の左右後端とのみ縫着されるときには、便蓋カバーが弛みにくくなる。単純な形状の工夫であり裁断、縫製等の作業が容易にもかかわらず、きれいに収まりよく仕上がることとなる。また、洗濯による縮み等の形状の変化にも対応しやすいものとなる。
【００３７】
便蓋カバーの後端裏面に基板シートの一端が縫着等で係止されているが、請求項３のように基板シートを用いる場合は、基板シート自体は、便蓋カバーの織布とは全体の面として縫着されていないので、便蓋カバーの先端と後端とが張力をもってぴんとひき伸ばされるようにして便蓋表面に設置できる一方で、粘着シート材を直接便蓋カバーの裏面に設けていないことから、便蓋表面で便蓋カバーの一部が途中でつれたように歪むことがない。また、便蓋カバーを取り外して洗濯するときに、便蓋カバー自体と基板シートや粘着シート材が一体になっていないので、洗濯後の乾燥が阻害されず、洗濯仕上げが良好となる。また、基板シートがプラスチック樹脂やフェルトなどでできているので、便蓋の表面が全体的にゆるく曲率があってもそれらに倉庫とができる一方で、一端が便蓋カバーに固定され、張力がかかるときでも、めくれあがったり歪んだりしにくいものとなっている。
【００３８】
粘着シート材は、繰り返し剥離可能であるが、汚れ等で粘着力が落ちてくることがある。その場合でも、洗濯時に水洗いして表面の油分や汚れを除去することで簡単に粘着力を復活させることができるので、繰り返し使用に適するものとなっている。アクリル系ポリマーからなる粘着材であると、水洗が容易であることから、好適に繰り返し粘着力を付与しうる。
【００３９】
請求項４の手段では、便蓋カバーの先が便蓋先端部の側壁に沿って折れ曲がっているので、硬質プラスチック樹脂板が便蓋先端部の側壁裏面に引っ掛かり、後端側の粘着シートとの張力によって便蓋表面に便蓋カバーがぴったりと沿いやすく、温水便座のような便蓋外周に側壁があるタイプに対しても便蓋にきれいに取り付けることができる。
【００４０】
請求項５の手段では、便座カバーの先端に引っ掛ける硬質プラスチック樹脂板に弾性が備わっているので、硬質プラスチック樹脂板は強度があり耐久性がある部材でありながらも、撓むことができるので、便蓋先端の曲率が多少異なっていても自在に撓んで形状に寄り添って係止できるので、便蓋先端の曲率形状に左右されにくく、汎用性の点で優れた効果を奏する。
【００４１】
さらに請求項８の手段では、便蓋カバーの上表面をカットパイルからなる織布としているので、豪華で暖かで装飾性が高い質感とデザイン性を提供しうるものであり、加えて織布の周辺をヘム布にくるんだ縁取りをしているので、織布がほつれてくることがないという優れた効果を奏する。
【００４２】
さらに、請求項９の手段では、便蓋カバーは織布の裏面を滑り止め部に形成しているので、便蓋への取り付け状態が長期間にわたってずれることなく安定しているので、係止具のゴム紐が長持ちするなどの優れた効果を奏するものである。
の効果に加えて奏する。
【００４３】
また、便蓋カバーの織布の基布部分の経糸や緯糸の一部に伸縮性のある糸を用いることで、たとえばスパンデックス糸などを用いることで、カットパイルの便蓋カバーに伸縮性を付与することができるので、便蓋の形状に沿いやすく、汎用性高く便蓋に適用できる便蓋カバーとなる。
【図面の簡単な説明】
【００４４】
【図１】本考案の便蓋カバーを洋式便器の便蓋に装着し、先端側を断面で示す側面図で、（ａ）は便座カバーおよび便座の先端の一部の切断図で、（ｂ）は切断部の拡大図である。
【図２】本考案の便蓋カバーで覆った便蓋の裏面から見た斜視図である。
【図３】本考案の便座カバーを裏面側から示した図である。
【図４】本考案の便座カバーの他の実施の形態を示した図である。
【図５】本考案の便座カバーの他の実施の形態として、シート後端中央部を切り欠いた粘着シート材を便蓋カバー裏面に縫着した態様を示した図である。
【図６】便座が便蓋で覆われた態様の洋式便器の側面図である。
【図７】図５に示す洋式便器の斜視図である。
【図８】側壁を有しない態様の便蓋に装着する、従来の便座カバーの装着の様子を便蓋の裏面側から示した図である。
【図９】ゴム紐と鉤で後端部を便座と固定する従来の便座カバーの装着の様子を便蓋の裏面側から示した図である。
【図１０】硬質プラスチック樹脂板のその他の実施の形態の一つの形状を示した図である。
【考案を実施するための形態】
【００４５】
本考案の実施の形態を、適宜図面を用いながら説明する。本考案の便蓋カバー６は、図６ないし図７に示す洋式便器１の半長円形状の便蓋２の表面に載せ置いて使用する。図３は本考案の便蓋カバー６の実施例のひとつを裏面側から図示したものであり、便蓋２を閉じた際に便座５を外部から隠す側壁２ｂを有するタイプである便蓋２にも、側壁を有しない便蓋２にも使用できるものである。便座カバー６の裏面先端部６ｂ（図３の右端が先端側、左端が後端側である。）の裏面側に飛び出た硬質プラスチック樹脂板８（横幅７ｃｍ、長さ２．５ｃｍ）を、便蓋２の先端２ａの側壁裏面２ｂにひっかけて、便蓋カバーの後端側に一端を左右２カ所で縫着した基板シート９（２４ｃｍ×１４ｃｍ）の中央に配したアクリル樹脂の粘着シート材１０（２１ｃｍ×７ｃｍ）を便蓋２に貼り付けて、便蓋カバー６を便蓋２の表面に十分に伸びた状態で載せ置くようにして使用する。硬質プラスチック樹脂板８は、図４のような、便座カバーの裏面先端部に設けた折曲部６ｃの端から突き出させて、側壁２ｂの裏面に引っ掛けるようにしてもよい。
【００４６】
ここに硬質プラスチック樹脂とは、曲げ弾性率又は引張り弾性率が７０ＭＰａより大きいプラスチック樹脂をいう。本考案の硬質プラスチック樹脂板８には、たとえばポリカーボネート、アクリル、ＰＥＴ、ポリプロピレンなどが適用でき、横幅４〜１３ｃｍ、長さ１〜３ｃｍ程度、厚さ０．５〜３ｍｍ程度である。なお、板は一枚板でもよいが、複数枚に分かれていてもよい。また、便蓋カバー本体に縫着される末端では一枚につながっていても、２カ所のスリットを設けて３枚のようにしてあってもよい。たとえば、図１０に示すように、ポリプロピレン製の硬質プラスチック樹脂板８は、末端の５〜１ｃｍ弱はひと続きで便蓋カバー６本体との縫着箇所２２の横幅は１３ｃｍあるが、そこから先端までは３つの板部２１にわかれており、その各板部２１の幅は３ｃｍで、３枚の板部２１の間は２ｃｍ離間した状態のスリット２０を設けるものとしておく。板部２１は、角丸めしておくとスムーズに係止して引っ掛けることができる。そして、この場合には、中央に引っ掛かりの板部２１があるので、真ん中が付加で引っ張られてツレてしまうこともなく、浮き上がることもない。また、先端が３つの板部２１に分かれたことで便蓋の曲率にもなじみやすく十分に引っ掛かりのテンションがかかることとなる。便蓋カバーは先端側を板部に引っ掛けと後端側を粘着シート材で固定された基板シートとの張力で固定するのであるから、それらのテンションに耐えうるものであればよく、硬質プラスチック樹脂板は、便蓋先端の曲率に沿って適宜弾性変形をしてもよく、適度に反りが生じることによって、むしろ便蓋先端裏面に硬質プラスチック樹脂板８が密着するので、外れにくく装着が安定する。
【００４７】
なお、最近の各メーカーから発売の洋式便器の機種は、縦、横のサイズが大きくなり、伴って、便蓋２のサイズも大きくなってきている。例えば、従来の便蓋２のサイズは直線状の開閉部３の幅のサイズが３９〜４０ｃｍで、半長円状の便蓋２の長さのサイズが３９〜４２ｃｍであったが、最近の便器の便蓋２のサイズは直線状の開閉部３の幅のサイズが４０〜４１ｃｍで、半長円状の便蓋２の長さのサイズが４４〜４７ｃｍである。したがって、本考案の便蓋カバー６は、これらの最近の機種の便蓋２のサイズに適用できるサイズ程度の大きさとする。
【００４８】
さて、先端を引っ掛けて後端側を粘着材で固定するので、便蓋カバーを片手でも装着ができ、また、取り外す際も容易である。従来の場合は、図７や図８に示すように、ゴム紐を便座にぐるっと通したり、ゴム紐をひっぱってフックでひっかけるなどするので、ゴムを引き延ばす手間が生じていた。また、ゴムの長さが合わなければ張力が確保できないので、サイズの適用幅にも制限があったが、粘着シート材で固定するのであれば、そうした手間もかからず、また便蓋のサイズに左右されにくい。
【００４９】
なお、便蓋カバー６の織布７をスパンデックス糸などの弾性糸で伸縮自在なものとしている場合には、便蓋カバー６の先端に折曲部２を裁断や縫製段階で予め設けておかなくてもよく、便蓋の曲率や側壁の形状に沿わせて便蓋カバー６の先端を曲げ伸ばして沿わせることができる。たとえば、スパンデックス糸を上下方向の経糸に配することで上下方向に伸縮性をもたせたるなどすると、上下に伸縮性が得られるので、曲率にあわせた伸縮によるフィット感を向上させることができる。
【００５０】
また、大きな側壁２ｂを特段備えない便蓋２に対しても、図３に示すように、便蓋２の先端部２ａの裏面に硬質プラスチック樹脂板８をひっかけて、便蓋表面に載せ置く便蓋カバー６の本体をホールドできるようにしている。この場合は、側壁２ｂがないので、便蓋カバー６の先端部６ｂには、特に折曲部２ｃを設けなくてもよい。
【００５１】
便蓋カバー６の後端裏面に設けた基材シート９には、便蓋表面と接する面に、粘着シート材１０として、たとえば、アクリル樹脂ポリマーからなる粘着性の部材を配する。このアクリル樹脂は粘着性をもちながら、繰り返し脱着可能なものである必要があるので、剥離しようとすると接着剤のような便蓋２との界面あるいは粘着シート材１０の基材側９との界面を破壊してしまうほどの強度な接着力は備えていない。繰り返し脱着できる程度の粘性をもった、何度も剥がし貼ることができる粘着性をもたせることとする。粘着力は、汚れやゴミ、油分などで下がることがあるが、アクリル樹脂の粘着材は、一般に水洗などの洗濯によって粘着力を回復することができるので、便蓋カバーを洗濯することができるので好適である。なお、基材シート９は、後端のみが便蓋カバー６と縫着されているので、洗濯時などに便蓋シート６の織布７の通気性を妨げることがなく、乾燥が容易である。また、基材シート９は後端側の中央をくり抜いてあるので、水が洗濯時に溜まることもない。
【００５２】
また、この便蓋カバー６は、たとえばカットパイル７ａを備えた織布７からなるものとし、便座カバーや、便器の手前の敷マットや、トイレットペーパーホルダー、タオルなどと統一的なデザインや質感とすることで、便室内を美観良く装飾することができる。また、ヘム布でパイピングをすることで、ほつれにくく、繰り返しの洗濯性も確保することができる。また、便蓋カバー６の裏面６ｄを滑り止め部６ｅとして、例えば摩擦係数の大きなエラストマーなどを点々と塗布するなどすることで、ずれにくくすることができ、粘着シート材１０による固定をさらに安定的なものとすることができる。
【００５３】
また、さらに他の実施の形態として、図５に示すように、便蓋カバーの裏面の後端部に粘着シート材１０を直接縫着するようにしてもよい。その場合、粘着シート材１０は縦１７ｃｍ横２５ｃｍの横長長方形のシート材のシート後端部中央が幅１７ｃｍ奥行き５ｃｍにわたって大きくくられており、中央に空間があいている。そこで粘着シート材１０はシート後端１２が左右４ｃｍずつに分かれており、後端１２の中央には粘着シート材１０が配されないようになっている。そして粘着シート材の左右の後端部１２は、便蓋カバーの後端６ａと縫着されている。こうすることで粘着シート材１０が便蓋２に剥離可能に貼りついたときに、便蓋カバー６の表面が弛んで浮き上がったようになることを予め回避しうることとなる。
【００５４】
また、粘着シート材１０のシート先端部１１やシート側端部は、周囲を全周にわたって縫着して便蓋カバー６の裏面に固定することも可能であるが、縫製時に弛みが生じやすいほか、便蓋カバー６の生地はテンションがかかって便蓋２に引っ掛けられることから張力によって歪みやすく、弛みが生じやすい。また、便蓋カバー６が洗濯されることから粘着シート材１０との間に経時的に弛みが生じやすいものである。そこで、縫着箇所は、粘着シートのシート先端部１１の両角と中央付近の３箇所をそれぞれ止めるような、部分的な縫着の仕方で固定するほうが弛みが生じにくく好適である。
【符号の説明】
【００５５】
１  洋式便器
２  便蓋
２ａ  先端部
２ｂ  側壁
３  直線状の開閉部
４  半長円状の周辺部
５  便座
６  便蓋カバー
６ａ  後端部
６ｂ  先端部
６ｃ  折曲部
６ｄ  裏面
６ｅ  滑り止め部
７  織布
７ａ  カットパイル
７ｂ  縁取り（ヘム布にくるんだ）
８  硬質プラスチック樹脂板
９  基板シート
１０  粘着シート材
１１  シート先端部
１２  シート後端部
１９  係止具
１９ａ  鉤
１９ｂ  ゴム紐
２０  スリット
２１  板部
２２  縫着箇所
【図１】
0003201666.tif 000003
【図２】
0003201666.tif 000004
【図３】
0003201666.tif 000005
【図４】
0003201666.tif 000006
【図５】
0003201666.tif 000007
【図６】
0003201666.tif 000008
【図７】
0003201666.tif 000009
【図８】
0003201666.tif 000010
【図９】
0003201666.tif 000011
【図１０】
0003201666.tif 000012
【手続補正書】
【提出日】平成27年10月21日(2015.10.21)
【手続補正１】
【補正対象書類名】実用新案登録請求の範囲
【補正対象項目名】請求項１
【補正方法】変更
【補正の内容】
【請求項１】
便蓋の表面に載置するための便蓋カバーであって、
便蓋の先端部に引っ掛けるための硬質プラスチック樹脂板を便蓋カバーの裏面先端に突設し、
便蓋との当接面となる便蓋カバー裏面の後端部に、繰り返し剥離可能な粘着シート材を縫着して、
硬質プラスチック樹脂板と粘着シートとで脱着自在に便蓋表面に固定しうることを特徴とした便蓋カバー。
【手続補正２】
【補正対象書類名】実用新案登録請求の範囲
【補正対象項目名】請求項５
【補正方法】変更
【補正の内容】
【請求項５】
硬質プラスチック樹脂板は、弾性を有する硬質プラスチック樹脂板からなることを特徴とする請求項１から請求項４のいずれか1項に記載の便蓋カバー。
【手続補正３】
【補正対象書類名】実用新案登録請求の範囲
【補正対象項目名】請求項６
【補正方法】変更
【補正の内容】
【請求項６】
前記基板シートがプラスチック樹脂もしくはフェルトからなる板材であることを特徴とする、請求項３に記載の便蓋カバー。